(57)【要約】      （修正有）【課題】照明器具に設けられる光源を乗籠の内側から容易に取り替えることができるとともに、床面の意匠性にも優れた籠床照明装置を提供する。【解決手段】籠床照明装置１０において、固定床材１３および可動床材１４の少なくとも１つは、透光性を有する。床補強材１１は、乗籠の床に格子状に配列されて複数の升目を形成する。照明器具は、升目の内側に設置される。点検窓は、籠床エプロンに開口される。解除升目は、点検窓５３に連通する。固定床材１３は、解除升目を覆う。可動床材１４は、解除升目以外の升目を覆う。固定部材は、固定床材１３を床補強材１１に固定する。スライド機構は、可動床材１４と床補強材１１との間に配置され可動床材１４を移動可能に支持する。係止機構は、床補強材１１に対して可動床材１４が浮き上ることを阻止する。【選択図】図２
2008001461.tif 000002
【特許請求の範囲】
【請求項１】
エレベータの乗籠の内部を床側から照らす籠床照明装置において、
前記乗籠の床に格子状に配列されて複数の升目を形成する床補強材と、
少なくとも１か所の前記升目の内側に設置される照明器具と、
前記乗籠の乗口の下方に垂れ下がる籠床エプロンに開口される点検窓と、
前記升目のうち前記点検窓に連通する解除升目を覆う固定床材と、
前記解除升目以外の升目を個別に覆う可動床材と、
前記点検窓を通して手動操作されることによって取り外し可能に前記固定床材を前記床補強材に固定する固定部材と、
前記可動床材と前記床補強材との間に配置されて前記可動床材を前記床補強材に沿って移動可能に支持するスライド機構と、
前記床補強材に対して前記可動床材の浮き上りを阻止する係止機構と
を備え、前記固定床材および前記可動床材の少なくとも１つが透光性を有することを特徴とする籠床照明装置。
【請求項２】
前記スライド機構は、前記床補強材に取り付けられる固定側フレームと、前記可動床材の縁に取り付けられる移動側フレームと、前記固定側フレームおよび前記移動側フレームの間に挟まれてそれぞれに転接する複数の転動体とを備えるとともに、前記可動床材のぞれぞれに個別に対応して設けられ、
移動方向が互いに交差する前記可動床材に設けられるスライド機構どうしは、前記可動床材の上面からそれぞれ異なる高さに配置されることを特徴とする請求項１に記載の籠床照明装置。
【請求項３】
前記スライド機構および前記係止機構は、前記床補強材に沿って敷設されるレールと、前記可動床材の平行に延びる縁に一対に設けられて前記レールに嵌合するガイド部とで構成されることを特徴とする請求項１に記載の籠床照明装置。
【請求項４】
前記スライド機構および前記係止機構は、前記可動床材の外周に形成されるガイド部と、前記床補強材の交点に取り付けられて前記ガイド部と係合するポストとで構成されることを特徴とする請求項１に記載の籠床照明装置。
【請求項５】
前記点検窓に面した前記固定床材の角部に位置する前記ポストは、前記固定床材の角部を前記乗籠の内側に向かって通過させる切欠部を有していることを特徴とする請求項４に記載の籠床照明装置。
【請求項６】
隣合う前記固定床材と前記可動床材、および、隣合う前記可動床材どうしは、上面が互いに連続していることを特徴とする請求項１に記載の籠床照明装置。
【請求項７】
前記固定床材および前記可動床材のうちの透光性を有する部分は、ガラス、アクリル樹脂、ポリカーボネイトのいずれか１つ、または、これらの少なくとも２つを組合せた複合材で形成されることを特徴とする請求項１に記載の籠床照明装置。
【請求項８】
前記照明器具に用いられる光源は、電球、蛍光灯、発光ダイオード、これらの中から２つ以上を組合せたもの、のいずれか１つであることを特徴とする請求項１に記載の籠床照明装置。
【請求項９】
昇降路内を移動する乗籠と、前記乗籠の内部を床側から照らす籠床照明装置とを備え、
前記籠床装置は、
前記乗籠の床に格子状に配置されて複数の升目を形成する床補強材と、
少なくとも１か所の前記升目の内側に設置される照明器具と、
前記乗籠の乗口の下方に垂れ下がる籠床エプロンに開口される点検窓と、
前記升目のうち前記点検窓に連通する解除升目を覆う固定床材と、
前記解除升目以外の前記升目を個別に覆う可動床材と、
前記点検窓を通して手動操作されることによって取り外し可能に前記固定床材を前記床補強材に固定する固定部材と、
前記可動床材と前記床補強材との間に配置されて前記可動床材を前記床補強材に沿って移動可能に支持するスライド機構と、
前記床補強材に対して前記可動床材の浮き上りを阻止する係止機構と
を具備し、前記固定床材および前記可動床材の少なくとも１つが透光性を有することを特徴とするエレベータ。
【請求項１０】
エレベータの乗籠の内部を床側から照らす籠床照明装置のメンテナンス方法において、
前記籠床照明装置は、前記請求項１に記載の構成を備え、
前記点検窓の蓋を乗場側から開放できる位置まで乗籠を移動させる離床操作と、
前記点検窓を通して前記固定部材を操作して前記床補強材に対して拘束されている前記固定床材を解除する解除操作と、
前記固定床材を前記乗籠の内側へ取り外して前記解除升目を前記乗籠の内部と連通させる第１の開放操作と、
前記可動床材を前記床補強材に沿って移動させて前記解除升目以外の前記升目を前記乗籠の内部と連通させる第２の開放操作と
を有することを特徴とする籠床照明装置のメンテナンス方法。
【発明の詳細な説明】
【技術分野】
【０００１】
本発明は、乗籠の床部に設けられる籠床照明装置、これを備えるエレベータ、およびこの籠床照明装置のメンテナンス方法に関する。
【背景技術】
【０００２】
エレベータの乗籠の床に照明器具を内蔵する籠床照明装置がある。特許文献１に記載の脚光照明装置（籠床照明装置）は、乗籠の床面より下方に配置された複数の光源体と、この光源体を個別に囲って床の下側に取り付けられた箱体とを備える。箱体が取り付けられた範囲の床は、開口しており、透光板が配置されている。
【０００３】
また、箱体の底板は、ヒンジで連結されており、開放することができる構造を有している。光源体は、底板に装着されている。光源体を交換する場合、透光板を外すことなく箱体の底板を開放し、交換作業が行われる。
【特許文献１】特開平６−３０５６６５号
【発明の開示】
【発明が解決しようとする課題】
【０００４】
しかしながら、特許文献１に記載の脚光照明装置において光源体を交換する場合、乗籠の床の下側に取り付けられた箱体の底板を開口するためには、乗籠の下にもぐりこんで作業を行うこととなる。光源体を付け替える操作そのものは、横向きの姿勢で行えるが、底板のボルトやナットを外す作業は、仰ぎ見る姿勢あるいは体が斜めになった姿勢になる。さらに、底板が急に開かないように少なくとも最後の１つのボルトは、底板を支えた状態で外す必要がある。
【０００５】
そのため、底板を固定しているボルトやナットあるいは工具を不用意に落下させてしまう可能性がある。また、物品の落下防止に配慮して慎重に作業を行うことを優先させると、作業時間を短縮することについては、あまり期待できない。
【０００６】
乗籠の内側から光源体を取り替えるためには、透光板を兼ねる床板を開放できるように固定する構造が必要である。床板を開放できるように固定する構造として鍵やヒンジなどを設ける場合、乗客から見える位置にこれら鍵やヒンジを配置せざるを得ないこともある。このような場合、意匠性が損なわれるとともに、鍵やヒンジの周囲に窪みが生じるので、乗客が躓く原因にもなり兼ねない。また、窪みに溜まった埃や砂塵が、鍵やヒンジに噛み込んでしまうと、床板を開放し難くなる可能性もある。
【０００７】
そこで、本発明は、照明器具に設けられる光源を乗籠の内側から容易に取り替えることができるとともに、床面の意匠性にも優れた籠床照明装置、これを備えるエレベータならびに、籠床照明装置のメンテナンス方法を提供する。
【課題を解決するための手段】
【０００８】
本発明に係る籠床照明装置は、エレベータの乗籠の内部を床側から照らすものであり、床補強材と照明器具と点検窓と固定床材と可動床材と固定部材とスライド機構と係止機構とを備え、固定床材および可動床材の少なくとも１つが透光性を有する。床補強材は、乗籠の床に格子状に配列されて複数の升目を形成する。照明器具は、少なくとも１か所の升目の内側に設置される。点検窓は、乗籠の乗口の下方に垂れ下がる籠床エプロンに開口される。固定床材は、升目のうち点検窓に連通する解除升目を覆う。可動床材は、解除升目以外の升目を個別に覆う。固定部材は、点検窓を通して手動操作されることによって取り外し可能に固定床材を床補強材に固定する。スライド機構は、可動床材と床補強材との間に配置されて可動床材を床補強材に沿って移動可能に支持する。係止機構は、床補強材に対して可動床材が浮き上ることを阻止する。
【０００９】
この場合、スライド機構は、床補強材に取り付けられる固定側フレームと、可動床材の縁に取り付けられる移動側フレームと、固定側フレームおよび移動側フレームの間に挟まれてそれぞれに転接する複数の転動体とを備えるとともに、可動床材のぞれぞれに個別に対応して設ける。そして、移動方向が互いに交差する可動床材に設けられるスライド機構どうしは、可動床材の上面からそれぞれ異なる高さに配置する。
【００１０】
または、スライド機構は、床補強材に沿って敷設されるレールと、可動床材の平行に延びる縁に一対に設けられてレールに嵌合するガイド部とを備える。
【００１１】
または、スライド機構および係止機構は、可動床材の外周に形成されるガイド部と、床補強材の交点に取り付けられてガイド部と係合するポストとで構成することも好ましい。この場合、点検窓に面した固定床材の角部に位置するポストは、固定床材の角部を乗籠の内側に向かって通過させる切欠部を設ける。
【００１２】
または、隣合う固定床材と可動床材、および、隣合う可動床材どうしの上面を互いに連続させる。この場合、「互いに連続させる」とは、隣合う固定部材と可動部材、および、隣合う可動床材どうしの外周縁の間に隙間ができないように、これらを並べて配置することを意味する。したがって、製造交差に基づいて予め用意されるわずかな隙間は、あっても無くてもよい。
【００１３】
また、固定床材および可動床材のうちの透光性を有する部分は、ガラス、アクリル樹脂、ポリカーボネイトのいずれか１つ、または、これらの少なくとも２つを組合せた複合材で形成する。照明器具に用いられる光源は、電球、蛍光灯、発光ダイオード、これらの中から２つ以上を組合せたもの、のいずれか１つとする。
【００１４】
本発明に係るエレベータは、上述の構成を有する籠床照明装置を乗籠に備える。また、本発明に係る籠床照明装置のメンテナンス方法は、上記構成の籠床照明装置に対して行われるものであり、離床操作と、解除操作と、第１の開放操作と、第２の開放操作とを有する。離床操作では、点検窓の蓋を乗場側から開放できる位置まで乗籠を移動させる。解除操作では、点検窓を通して固定部材を操作し、床補強材に対して拘束されている固定床材を解除する。第１の開放操作では、固定床材を乗籠の内側へ取り外して解除升目を乗籠の内部と連通させる。第２の開放操作では、可動床材を床補強材に沿って移動させて解除升目以外の升目を乗籠の内部と連通させる。
【発明の効果】
【００１５】
本発明に係る籠床照明装置によれば、固定床材を取り外すと、スライド機構によって可動床材をパズル状に順番にスライド移動させ、その下に覆われた升目を開放することができる構成を有している。メンテナンスにおいて照明器具の光源を交換する際、乗籠の内部側から作業を容易にすることができる。したがって、作業員の安全が確保されるとともに、作業性が向上する。
【００１６】
また、各升目を開放するための初期操作は、点検窓５３から行われる。点検窓５３は、乗籠の乗客が目にすることの無い籠床エプロンに開口される。この籠床照明装置の固定床材は、点検窓５３から操作される固定部材によって床補強材に固定されている。可動床材は、床補強材から浮き上ることを係止機構によって阻止されている。このように、固定床材および可動床材は、乗籠内部に面していない位置で乗籠に固定されている。つまり、固定床材および可動床材を固定するための留め具が床面に露出しない。したがって、乗客が躓く原因となる段差や窪みなどが床面に生じない。また、留め具などが床面に無いため、いたずらの防止にもなるとともに、乗籠の内部の意匠性の面でも優れている。
【００１７】
可動床材に個別に対応してスライド機構が設けられる発明によれば、各スライド機構が転動体を備えているので、可動床材を移動させるための摺動抵抗が小さくなる。また、移動方向が互いに交差する可動床材に設けられるスライド機構どうしは、高さを変えて配置しているので、スライド機構どうしが干渉することなく、可動床材を移動させることができる。
【００１８】
また、床補強材に敷設されるレールと、可動床材の縁に設けられてレールと嵌合するガイド部とでスライド機構および係止機構が構成される発明によれば、簡単な構造により可動床材が床補強材から浮き上ることを防止することができるとともに、可動床材をスライド移動させて所望の升目を開放させることができる。
【００１９】
スライド機構および係止機構を可動床材の外周に形成されるガイド部と、床補強材の交点に取り付けられてガイド部と係合するポストとで構成する発明によれば、個々の可動床材を直交する２方向のいずれにも移動させることができるようになる。つまり、可動床材の移動方向に制約されること無く、開放させたい升目を少ない手順で開放させることができるようになる。また、可動部材の形状が統一されるので、メンテナンスの際に元どおりの配置に戻すことなく、解除升目が開放される状態に可動部材を移動させればよい。したがって、メンテナンスにおける作業性が向上する。さらに、可動床材の配置を入れ替えて汚れた可動床材を目立たない位置に移動させることもできる。
【００２０】
また、固定床材および可動床材の少なくとも１つが透光性を有している籠床照明装置は、透光性を有するものとそうでないものとを混合して使用することで、照明効果に様々な意匠性を持たせることができる。例えば、可動性部材の配列を変えることで、雰囲気の異なる意匠に変化させることもできる。
【００２１】
透光性を有する部分に用いる材料として、ガラスの他に、アクリル樹脂、ポリカーボネイト、あるいはこれらの内の少なくとも２つを組合せた複合材を用いることも好ましい。ガラスを床材に使用すると、アクリル樹脂やポリカーボネイトに比べて傷がつきにくい。また、アクリル樹脂や、ポリカーボネイトを用いると、ガラスに比べて固定床材および可動床材を軽量にすることができるので、メンテナンスにおいて操作性が改善される。また、ガラスの間にポリカーボネイトのシートを挟んだ合わせガラスを用いると、ガラスがひび割れたときにも、飛散することを防止することができる。
【００２２】
また、照明器具の光源には、電球、蛍光灯、発光ダイオード等、求められる照明効果に応じて適宜選択することができる。これらの中から２つ以上を組合せて使用しても良い。さらに、光源は、隣合う升目を仕切る床補強材に設けられる貫通孔や切欠部を通して、隣の升目を照らしても良い。また、光源自体をこの貫通孔に通して、隣合う升目に跨って配置されても良い。
【００２３】
本発明に係るエレベータは、上記構成の籠床照明装置を備えることによって、乗籠の内部を照らす照明装置を乗籠の内部側からメンテナンスすることができる。また、スライド機構や係止機構が乗籠の内側に露出しないので、意匠の点で優れているとともに、いたずらの防止にもなる。
【００２４】
本発明に係る籠床照明装置のメンテナンス方法によれば、籠床照明装置が上述の構成を備えることによって、乗籠の下の昇降路内に入ることなく、乗籠の中から籠床照明装置の照明器具のメンテナンスを行うことができる。したがって、作業性が良く、また、作業員の安全対策の面でも好ましい。
【発明を実施するための最良の形態】
【００２５】
本発明に係る第１の実施形態の籠床照明装置１０を備えるエレベータ１について、図１から図９を参照して説明する。エレベータ１は、図１に示すように昇降路２に沿って延びるガイドレール３と、昇降路２内部にメインロープ４で吊るされガイドレール３に沿って移動する乗籠５とを備える。乗籠５は、籠枠６と籠ドア装置７と籠床照明装置１０とを備える。籠枠６は、ガイドレール３に嵌合する案内装置６１を有している。籠枠６の上梁６２には、メインロープ４の端部が連結されている。
【００２６】
籠ドア装置７は、乗籠５の乗口５１に設けられている。図１に示す籠ドア装置７は、両開き式であり、敷居７１とハンガーレール７２に沿って移動するドアパネル７３を有する。ドアパネル７３は、乗籠５の上部に設置されるドア駆動装置７４によって開け閉めされる。乗籠５が目的の階層に対してずれて着床してしまった場合を想定した安全上の必須の構成である籠床エプロン５２は、乗口５１の下方へ敷居７１から垂れ下がっている。
【００２７】
籠床照明装置１０は、乗籠５の床に設置され、乗籠５の内部を床側から照らす。乗籠５は、籠床照明装置１０とは別に天井にも照明装置を備えていても良い。籠床照明装置１０は、図２に示すように、床補強材１１と、照明器具１２と、点検窓５３と、固定床材１３と、可動床材１４と、固定部材と、スライド機構２０と、係止機構３０とを備える。床補強材１１は、図３から図５に示すように乗籠５の床に格子状に配列され、複数の升目５０を形成している。
【００２８】
図３および図４に示すように、床補強材１１のうち外周の四辺は、いわゆる軽溝形鋼で構成され、これに囲われた内側の部材は、いわゆるリップ溝形鋼で構成されている。また、外周の四辺の軽溝形鋼に対して、リップ溝形鋼の延長線上となる位置には、リブ１１１が取り付けられている。
【００２９】
格子状に組まれた床補強材１１の下面には、底壁１１２が取り付けられている。照明器具１２は、各升目５０の内側となる底壁１１２の上に設置されている。各々の照明器具１２は、円環形状の蛍光灯１２１を光源として備えている。点検窓５３は、図２籠床エプロン５２に開口されており、蓋５４が取り付けられている。蓋５４は、籠床エプロン５２に対してヒンジ５５によって連結されている。点検窓５３に面した床補強材１１は、図６に示すように点検窓５３に隣接した升目５０を点検窓５３に連通させるハンドホール１１３を有している。
【００３０】
このハンドホール１１３は、後に詳述するが、固定床材１３を外す場合に、作業員が点検窓５３から手を差し入れて、固定床材１３を升目５０側から押し上げるために設けられている。そこで、点検窓５３に連通する升目５０を解除升目５０１とする。固定床材１３は、ハンドホール１１３によって点検窓５３に連通する解除升目５０１を覆うように取り付けられている。この固定床材１３の下面には、隣合う可動床材１４と面一に高さを揃えるために、嵩上げ用の補助金具１３１が取り付けられている。
【００３１】
図６に示すように、点検窓５３に近い側、すなわちハンドホール１１３に近い側の補助金具１３１の縁は、床補強材１１に設けられたボルト孔１１５に通された固定ボルト１５１によって、床補強材１１に締結固定されている。固定ボルト１５１は、固定部材の一形態である。また、ハンドホール１１３から離れた奥側の補助金具１３１の縁は、乗籠５の内側に向かって浮き上らないように、ハンドホール１１３が設けられた床補強材１１に対して解除升目５０１の対辺の床補強材１１に取り付けられた固定部材の他の形態である係止鋲１５２に引っ掛けられている。したがって、図６に示すように、点検窓５３から工具Ｔを差し入れて固定ボルト１５１を外し、さらにハンドホール１１３から解除升目５０１に挿しいれた手で固定床材１３を持ち上げることによって、解除升目５０１を容易に開放させることができる。
【００３２】
可動床材１４は、解除升目５０１を除く升目５０に対応した数が用意され、図２から図４に示すように解除升目５０１以外の升目５０を個別に一つひとつ覆っている。固定床材１３および可動床材１４は、乗籠５の内側から見て同じ形状に作られている。固定床材１３および可動床材１４は、いずれも床枠１０１と、この床枠１０１に嵌められる床パネル１０２とを備える。床パネル１０２は、透光性を有したガラス、好ましくは強化ガラスで形成されている。床枠１０１は、床パネル１０２が面一に嵌るように段差を有している。床パネル１０２の外周と床枠１０１との間にできる隙間は、シール材１０３でコーキングされている。
【００３３】
本明細書中において「透光性」とは、無色透明なものだけではなく、可視光が透過する程度に着色されているものや、透過光を散乱屈折させる凹凸が表面に形成されたいわゆる型板ガラスや磨ガラスであっても良い。また、ガラスを用いる代わりに、アクリル樹脂や、ポリカーボネイトを用いても良い。さらに、ガラス、アクリル樹脂、ポリカーボネイトの中から２種類以上を組合せた複合材、例えば合わせガラスを適用しても良い。
【００３４】
格子状に配列されて隣合う固定床材１３および可動床材１４の上面は、互いに連続している。この場合「連続している」とは、可動床材１４が移動可能であり、かつ、スライド機構２０および係止機構３０が乗籠５の内側に露出しない程度の隙間を有していても良いものとする。
【００３５】
図７に示すように乗口５１から見て左の奥の升目５０を覆う可動床材１４をＡＡとし、そこから右へ順番にＡＢ，ＡＣ，ＡＤ、奥から２行目を左から右へＢＡ，ＢＢ，ＢＣ，ＢＤ、奥から３行目を左から右へＣＡ，ＣＢ，ＣＣ，ＣＤとする。また、手前の左側から２つをＤＡ，ＤＢ、手前の右端をＤＤとし、点検窓５３に隣接した升目５０である解除升目５０１を覆う固定床材１３をＤＣとする。
【００３６】
スライド機構２０は、図３および図４に示すように可動床材１４と床補強材１１との間に配置され、可動床材１４を床補強材１１に沿って移動可能に支持している。図５に示すように、手前の１行のＤＡ，ＤＢ，ＤＤに配置された可動床材１４は、乗口５１を横切る方向に沿ってスライド機構２０が配置され、手前の１行を除く奥側に配置された可動床材１４は、奥から手前に向かう方向に沿ってスライド機構２０が配置されている。移動方向が互いに直交する向きに設定された可動床材１４に設けられるスライド機構２０どうしは、図３に示すように補助金具１４１，１４２をそれぞれ取り付けることによって、可動床材１４の上面から異なる高さに配置されている。
【００３７】
スライド機構２０は、固定側フレーム２１と、移動側フレーム２２と、複数の転動体２３とを備える。固定側フレーム２１は、床補強材１１に取り付けられ、移動側フレーム２２は、可動床材１４の床枠１０１に固定される。転動体２３は、固定側フレーム２１と移動側フレーム２２との間に挟まれてそれぞれに転接する。転動体２３どうしは、保持器によって等間隔に維持される。固定側フレーム２１と移動側フレーム２２とは、転動体２３を介して互いに嵌合しており、可動床材１４が床補強材１１から浮き上ることを阻止する係止機構３０の機能も兼ねている。
【００３８】
次に、照明器具１２の光源である蛍光灯１２１を交換する場合を一例に、図６から図９を用いて各々の升目５０を乗籠５の内側に対して開放するメンテナンス方法を説明する。籠床照明装置１０のメンテナンス方法は、離床操作Ｓ１と解除操作Ｓ２と第１の開放操作Ｓ３と第２の開放操作Ｓ４とを有している。
【００３９】
離床操作Ｓ１では、点検窓５３の蓋５４を乗場側から開けられる程度に、着床している乗場よりも高い位置へ、乗籠５をマニュアル操作によって移動させる。解除操作Ｓ２では、蓋５４を止めているボルトを外し、蓋５４を開け、図６に示すように点検窓５３からボックスレンチ等の工具Ｔを差し入れて、固定ボルト１５１を外す。
【００４０】
第１の開放操作Ｓ３では、ハンドホール１１３から図６に示すように手を差し入れるか、専用の押棒を挿し入れて固定床材１３を押し上げる。これにより、解除升目５０１が乗籠５の内部に対して連通される。第２の開放操作Ｓ４では、図８および図９に示すように、可動床材１４を移動させ、所望の升目５０を開放させる。
【００４１】
図８では、固定床材１３を取り除いたことによって開放された解除升目５０１に、この左隣のＤＢの可動床材１４を移動させている。また、図９においては、ＤＢにあった可動床材１４を移動させることによって開放された升目５０に、この図で上隣にあるＣＢの可動床材１４を移動させ、さらにＣＢにあった可動床材１４を移動させたことによって開放された升目５０に、これのさらに上隣のＢＢにある可動床材１４を移動させている。
【００４２】
また、ＡＣの可動床材１４が覆っている升目５０を開放したい場合は、ＤＣの固定床材１３を取り外して開放された解除升目５０１にＣＣの可動床材１４を移動させ、その後順次、ＢＣ，ＡＣの可動床材１４を下側の升目５０に移動させる。また、ＡＡの可動床材１４が覆う升目５０を開放する場合は、図８に示すように解除升目５０１にＤＢの可動床材１４を移動させ、その後、可動床材１４を移動させることによって開放されていく升目５０に、ＤＡ，ＣＡ，ＢＡ，ＡＡの順に可動床材１４をパズルの様に移動させる。
【００４３】
このように、解除升目５０１を基点に可動床材１４を移動させて照明器具１２が配置された升目５０を順番に開放していくことによって、籠床照明装置１０の照明器具１２に備えられた蛍光灯１２１を交換する作業を乗籠５の内側から行うことができる。また、第１の実施形態における籠床照明装置１０の可動床材１４は、個別に設けられるスライド機構２０によって一方向にしか動かない。つまり、個々の可動床材１４が対応する升目５０は、予め決まっているので、作業終了後に容易に復旧させることができる。
【００４４】
本実施形態において、スライド機構２０は、乗口５１側の可動床材１４を乗口５１を横切る方向へ移動させ、残りの可動床材１４を乗口５１に向かって奥行き方向へ移動させる。スライド機構２０は、隣合う升目５０の１つに対して可動床材１４を移動させるものである。ある升目５０を覆う可動床材１４のスライド機構２０が、この可動床材１４を移動させた先のスライド機構２０と干渉しなければ良い。したがって、図５に示したスライド機構２０の配列のみによらず、解除升目５０１を基点として可動床材１４を一筆書き状に順番に移動させることによって、全ての升目５０を順番に開放させていくようにスライド機構２０が配置されていても良い。
【００４５】
本発明に係る第２の実施形態の籠床照明装置１０について、図１０から図１４を参照して説明する。第１の実施形態に記載の籠床照明装置１０の構成と同じ機能を有する構成は、同一の符号を付してその説明を省略する。
【００４６】
図１０に示す籠床照明装置１０の床補強材１１は、角形鋼管を用いて格子状に組み上げられている。ハンドホール１１３は、乗口５１に近い床補強材１１に貫通して設けられている。スライド機構２０および係止機構３０は、床補強材１１に沿って敷設されるレール１６と、可動床材１４の平行に延びる縁に一対に形成されるガイド１４１とで構成されている。レール１６とガイド１４１とは、互いに嵌合することによって、床補強材１１に対する可動床材１４の浮き上りを阻止する。
【００４７】
本実施形態において、各可動床材１４が移動する方向は、第１の実施形態における可動床材１４の移動方向と同じである。第１の実施形態と同様に固定床材１３および可動床材１４の配列座標を定義すると、ＤＡとＣＡ、ＤＢとＣＢ、ＤＤとＣＤ、ＤＡとＤＢの間においてそれぞれ隣合う可動床材１４の縁１４２，１４３どうし、ＤＣとＣＣの間において隣合う固定床材１３の縁１３２と可動床材１４の縁１４３、ＤＢとＤＣ、ＤＤとＤＣの間において隣合う可動床材１４の縁１４２と固定床材１３の縁１３３とは、図１２中において前者が左側で後者が右側となるように係合している。
【００４８】
籠床照明装置１０の外周に面して位置する可動床材１４の縁に形成されるガイド１４１は、図１３に示すようにレール１６と係合している。ＣＡ，ＣＢ，ＣＤに配置される可動床材１４は、乗口５１から奥行き方向へ延びるレール１６に対して嵌合することによって、床補強材１１からの浮き上りが阻止されている。したがって、ＣＡ，ＣＢ，ＣＤに配置されて乗口５１側に並ぶ可動床材１４の縁は、ＤＡ，ＤＢ，ＤＤに配置される可動床材１４のスライド機構２０および係止機構３０として機能する。また、ＤＣとＣＣの間において図１２に示すように固定床材１３と可動床材１４が係合することによって、可動床材１４の縁は、固定床材１３に対する固定部材の役割を果たしている。
【００４９】
ハンドホール１１３側に位置する固定床材１３の縁は、図１４に示すようにネジ穴１０４を有し、固定ボルト１５１によって締結固定される。そして、この区間の床補強材１１には、レール１６が配置されていない。したがって、解除升目５０１に移動された可動床材１４は、床補強材１１に対する係合が解除される。そこで、ハンドホール１１３から手や専用治具を挿し入れて押し上げることによって、可動床材１４を固定床材１３と同様に乗籠５の内側に向かって取り外すことができる。図１０は、ＢＣ，ＢＤ，ＣＢ，ＣＣ，ＣＤ，ＤＢ，ＤＤの可動床材１４がちょうど取り除かれた状態を示している。
【００５０】
以上のように構成された籠床照明装置１０のスライド機構２０および係止機構３０は、第１の実施形態に記載した籠床照明装置１０のそれらに比べて簡単な構造である。また、移動方向が互いに交差する可動床材１４のスライド機構２０どうしを高さを変えて配置する必要が無いため、乗籠５の床部分の嵩を小さくすることができる。
【００５１】
さらに、解除升目５０１に移動させた可動床材１４を必要に応じて乗籠５の内側に取り外すこともできる。したがって、数か所の升目５０を同時に解放させた状態で作業することができるので、作業効率も向上する。また、経年劣化や、損傷した可動床材１４を簡単に交換することも可能である。
【００５２】
本発明に係る第３の実施形態の籠床照明装置１０について、図１５から図１７を参照して説明する。第１の実施形態に記載の籠床照明装置１０または第２の実施形態に記載の籠床照明装置１０の構成と同じ機能を有する構成は、同一の符号を付してその説明を省略する。また、固定床材１３と可動床材１４の配列は、第１の実施形態の配列と同じであるものとして以下に説明する。
【００５３】
図１５に示す籠床照明装置１０において、床補強材１１は、格子状に組まれたリップ溝形鋼で升目５０を構成している。全ての床補強材１１の交点には、ポスト１７が配置されている。このポスト１７は、胴部１７１および頂部１７２ともに四角く、胴部１７１よりも頂部１７２の方が大きい水平断面形状を有し、図１６および図１７に示すようにＴ字形の鉛直断面形状を有する。ポスト１７の四辺は、固定床材１３および可動床材１４の四辺と平行となる向きに揃えられている。
【００５４】
可動床材１４は、全て同じ形状であって、図１５から図１７に示すように床枠１０１の外周にガイド部１８が形成されている。ガイド部１８の溝１８１は、図１６に示すようにポスト１７の頂部１７２に嵌合する。ガイド部１８の下部１８２は、ポスト１７の胴部１７１に摺接する寸法に形成されている。また、固定床材１３は、可動床材１４と同じ形状の外形を有しており、図１７に示すようにハンドホール１１３に面した側の床枠１０１に床補強材１１から通された固定ボルト１５１が螺合するネジ穴１０４を有している。本実施形態において、ガイド部１８とポスト１７とは、スライド機構２０および係止機構３０を兼ねている。
【００５５】
また、点検窓５３に面した側の解除升目５０１の角部に位置するポスト１７、つまり、ハンドホール１１３を挟む位置に配置される一対のポスト１７は、固定床材１３の角部を乗籠５の内側に向かって通過させる切欠部１７３を有している。固定床材１３と可動床材１４、および可動床材１４どうしの隣合う縁は、上面が連続して設けられており、ポスト１７の頂部１７２を覆っている。
【００５６】
以上のように構成された籠床照明装置１０は、可動床材１４の外形がすべて同じであり、升目５０の四隅である床補強材１１の交点にポスト１７を備えている。したがって、可動床材１４は、乗口５１を横切る幅方向、および、これと直交する奥行き方向のいずれの方向にも、隣の升目１０が空いていれば何升でも移動させることができる。
【００５７】
したがって、固定床材１３を取り外すことによって１か所開放された升目５０ができれば、後は開放されている升目４０に隣の升目４０を覆っている可動床材１４を移動させる操作を続けることによって、所望の升目４０を開放させることができる。このように、可動床材１４の移動方向が自由であるので、各升目４０を開放させるための操作に自由度がまし、作業性が向上する。
【００５８】
また、固定床材１３の外形は可動床材１４の外形と同じであり、ネジ穴１０４が設けられていることが異なるだけである。つまり、同じ物を用意し、その中から固定床材１３とするものにネジ穴１０４を加工すればよいだけである。したがって、固定床材１３および可動床材１４を製造するためのコストを安く抑えることができる。
【００５９】
さらに、固定床材１３と可動床材１４とが同じ外形を有しているため、可動床材１４を取り外した後、解除升目５０１に可動床材１４を移動させれば、この可動床材１４を固定床材１３を取り外と同じように乗籠５側に取り外すことができる。したがって、同時に複数箇所の升目５０を開放させて作業することができるので、作業効率が向上する。
【００６０】
本発明に係る第４の実施形態の籠床照明装置１０について、図１８を参照して説明する。本実施形態において、照明器具１２は、隣合う升目５０に跨って配置されている。これに伴い、この照明器具１２が配置される升目５０の間にある床補強材１１は、底壁１１２から浮いた位置に設けられ、隣合う升目４０を開放すれば、取り外すことも可能である。図１８において、直管状の蛍光灯１２２を光源として備える照明器具１２が２つの升目４０に跨って配置されている。このように床補強材１１が構成されることによって、適用できる照明器具１２に多様性が増す。
【００６１】
この他の構成は、第３の実施形態の籠床照明装置１０の構成と同じであるので、同一の符号を付してその説明を省略する。また、図１８に図示されていない構成は、先の実施形態に示したものと同じであるので、本明細書中の当該部分の記載および図面を参酌する。
【００６２】
本発明に係る第５の実施形態の籠床照明装置１０について、図１９を参照して説明する。本実施形態において、照明器具１２は、発光ダイオードを複数実装した発光パネル１２３を光源として備える。床補強材１１は、升目５０側に開口した照明窓１１４を有している。照明窓１１４に望む床補強材１１の内側には、電球１２４がそれぞれ配置されている。この電球１２４もまた、照明器具１２の光源の一部であり、升目５０に対する間接照明となっている。
【００６３】
この他の構成は、第３の実施形態の籠床照明装置１０の構成と同じであるので、同一の符号を付してその説明を省略する。また、図１９に図示されていない構成は、先の実施形態に示したものと同じであるので、本明細書中の当該部分の記載および図面を参酌する。
【００６４】
第４および第５の実施形態において説明した照明器具１２を、第１から第３の実施形態の照明器具１２として利用することも可能である。この場合、床補強材１１の構成は、それぞれ照明器具１２に合わせて、第４または第５の実施形態の床補強材１１と同様の構成に必要に応じて適宜変更されることは言うまでも無い。
【００６５】
なお、上述の各実施形態において、スライド機構２０および係止機構３０は、各升目５０の縁に沿って可動床材１４の外周よりも内側に配置される嵌合レールと、可動床材１４の角部に設けられて嵌合レールと係合するステムとで構成されていても良い。第２から第５の実施形態におけるスライド機構２０は、可動床材１４の摺動抵抗を減らすために、床補強材１１側または可動床材１４側に鋼球を転動体とするボールベアリングを備えていても良い。
【００６６】
上述の実施形態において、固定床材１３および可動床材１４は、全て透光性を有した床パネル１０２を装備している。意匠性を考慮して、固定床材１３および可動床材１４のうち、例えば千鳥配置になる位置のみ透光性の床パネル１０２と備えるものでも良い。また、床パネル１０２の形状は、升目５０いっぱいに広がる四角い形状のみならず、部分的に透光性を有していても良いし、厚みに変化を与えて陰影を浮かび上がらせるようなものであっても良い。
【００６７】
また、上述の各実施形態において、固定床材１３を乗籠５側に押し上げるために手を差し入れるハンドホール１１３を床補強材１１に設けている。解除升目５０１に設けられる照明器具１２の照明効果を他の升目５０の照明器具１２の照明効果と同じ程度にするために、ハンドホール１１３は、通常時において塞がれていることが好ましい。そこで、ハンドホール１１３に蓋を取り付けるか、ハンドホール１１３を設ける代わりに、固定ボルト１５１を外した後で床補強材１１のボルト孔１１５を利用して固定床材１３を押し上げても良い。また、専用の治具で押し上げるための開口部をボルト孔１１５の隣に設けておいても良いし、別途、固定床材１３を押し上げるためのレバーを設けておいても良い。
【００６８】
また、固定床材１３および可動床材１４の配列は、第１の実施形態の図５や図７に示した配列に限定されるものではない。固定床材１３および可動床材１４の個々の形状もまた、上述の実施形態の説明に用いた図面に記された形状に限定されるものではない。例えば、奥行き方向に、または横幅方向に長い長方形であっても良いし、２つ以上の升目５０を同時に覆う大きさを有していても良い。また、１つの升目５０を複数の床材で覆っても良い。ただし、この場合、一組の対辺が必ず床補強材１１にそれぞれ乗っていることを前提とする。
【産業上の利用可能性】
【００６９】
本発明に係る籠床照明装置の構成およびこの機能は、天井用の照明装置にも適用することができる。また、エレベータの照明装置に限らず、建造物の床や天井にも適用できる。
【図面の簡単な説明】
【００７０】
【図１】本発明に係る第１の実施形態の籠床照明装置を備えるエレベータの乗籠を示す斜視図。
【図２】図１に示した籠床照明装置を示す斜視図。
【図３】図２中のＦ３−Ｆ３線に沿って示した籠床照明装置の断面図。
【図４】図２中のＦ４−Ｆ４線に沿って示した籠床照明装置の断面図。
【図５】図２に示した籠床照明装置の床材を取り外した状態を模式的に示す平面図。
【図６】図２中のＦ６−Ｆ６線に沿って籠床照明装置の固定床材を外す操作を示す断面図。
【図７】図２に示した籠床照明装置の固定床材を外した状態を模式的に示す平面図。
【図８】図７において固定床材を取り外した位置に可動床材を移動させる状態を模式的に示す平面図。
【図９】図８において可動床材を動かしたことによって空いた升目に別の可動床材を移動させる状態を模式的に示す平面図。
【図１０】本発明に係る第２の実施形態の籠床照明装置を示す斜視図。
【図１１】図１０中のＦ１１−Ｆ１１線に沿って示す可動床材とスライド機構の係合部の断面図。
【図１２】図１０中のＦ１２−Ｆ１２線に沿って示す可動床材どうしの係合部の断面図。
【図１３】図１０中にＦ１３−Ｆ１３線に沿って示す可動床材と床補強材との係合部の断面図。
【図１４】図１０中にＦ１４−Ｆ１４線に沿って示す固定床材と床補強材との連結部の断面図。
【図１５】本発明に係る第３の実施形態の籠床照明装置について固定床材および可動床材を一部取り外し、または切り欠いて示す斜視図。
【図１６】図１５に示した隣合う可動床材どうし、および隣合う可動床材と固定床材の断面図。
【図１７】図１５に示した固定床材と床補強材との結合部周辺の断面図。
【図１８】本発明に係る第４の実施形態の籠床照明装置の一部分を示す斜視図。
【図１９】本発明に係る第５の実施形態の籠床照明装置の一部分を示す斜視図。
【符号の説明】
【００７１】
１…エレベータ、２…昇降路、３…ガイドレール、５…乗籠、１０…籠床照明装置、１１…床補強材、１２…照明器具、１３…固定床材、１４…可動床材、１６…レール、１７…ポスト、１８…ガイド部、２０…スライド機構、２１…固定側フレーム、２２…移動側フレーム、２３…転動体、３０…係止機構、５１…乗口、５２…籠床エプロン、５３…点検窓、１２１，１２２…蛍光灯（光源）、１２３…発光パネル（光源）、１２４…電球（光源）、１４１…ガイド、１５１…固定ボルト（固定部材）、１５２…係止鋲（固定部材）、１７３…切欠部、Ｓ１…離床操作、Ｓ２…解除操作、Ｓ３…第１の開放操作、Ｓ４…第２の開放操作。
【図１】
2008001461.tif 000003
【図２】
2008001461.tif 000004
【図３】
2008001461.tif 000005
【図４】
2008001461.tif 000006
【図５】
2008001461.tif 000007
【図６】
2008001461.tif 000008
【図７】
2008001461.tif 000009
【図８】
2008001461.tif 000010
【図９】
2008001461.tif 000011
【図１０】
2008001461.tif 000012
【図１１】
2008001461.tif 000013
【図１２】
2008001461.tif 000014
【図１３】
2008001461.tif 000015
【図１４】
2008001461.tif 000016
【図１５】
2008001461.tif 000017
【図１６】
2008001461.tif 000018
【図１７】
2008001461.tif 000019
【図１８】
2008001461.tif 000020
【図１９】
2008001461.tif 000021